Podtech/llm-jp-corpus-v4-ja_patent huggingface dataset:
【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
式
【化１】
2016507575.tif 000001
（式中、Ｍは、
【化２】
2016507575.tif 000002
であり、
Ｒ７は、Ｃ＝Ｏ、Ｃ＝Ｓ、Ｃ−ＮＨ２およびＣ＝ＮＨからなる群から選択され、かつ波線によって表される結合は、Ｒ７がＣ＝Ｏ，Ｃ＝Ｓ、またはＣ＝ＮＨの場合、単結合であり、およびＲ７がＣ−ＮＨ２の場合、二重結合であり、
Ｒ８およびＲ９は独立して、Ｈ、アルキル、シクロアルキル、およびアリールからなる群から選択され、但し、波線によって表される結合が二重結合である場合、Ｒ９は非存在であり、
Ｒ０は、アリール、置換アリール、二置換アリール、ヘテロアリール、置換ヘテロアリール、二置換ヘテロアリール、アルキル、ハロアルキル、シクロアルキル、アルケニル、およびアルキニルからなる群から選択され、
Ｘ１は、Ｃ−ハロゲン、ＣＨ、およびＮからなる群から選択され、
Ａは、メチルまたはＨであり、
Ｒ５およびＲ６は独立して、ハロゲン、Ｈ、アルキル、アリール、トリクロロメチル、およびトリフルオロメチルから選択され、
Ｒ３およびＲ４は独立して、非存在であり、またはアルキル、シクロアルキル、アルコキシ、チオアルキルからなる群から選択され、かつ
Ｘ１がＣの場合、Ｒ０は、パラ位で−ＯＣＨＦ２と単置換されたフェニルではない。）
による化合物、あるいはその医薬として許容し得る塩、その互変異性体、その互変異性体の医薬として許容し得る塩、その鏡像異性体、またはその鏡像異性体の医薬として許容し得る塩。
【請求項２】
式
【化３】
2016507575.tif 000003
による化合物である、請求項１に記載の化合物。
【請求項３】
式
【化４】
2016507575.tif 000004
による化合物である、請求項１に記載の化合物。
【請求項４】
Ｒ５およびＲ６は独立して、ハロゲン、Ｈ、アルキル、トリクロロメチル、およびトリフルオロメチルから選択される、請求項１〜３のいずれか一項に記載の化合物。
【請求項５】
Ｘ１は、ＣＨおよびＮからなる群から選択され、かつ
Ｒ５およびＲ６は独立して選択されたハロゲンである、
請求項１〜４のいずれか一項に記載の化合物。
【請求項６】
Ｒ７はＣ＝ＮＨである、請求項１〜５のいずれか一項に記載の化合物。
【請求項７】
Ｒ７はＣ＝Ｏである、請求項１〜５のいずれか一項に記載の化合物。
【請求項８】
式
【化５】
2016507575.tif 000005
の化合物である、請求項６に記載の化合物。
【請求項９】
以下
【化６】
2016507575.tif 000006
からなる群から選択される式を有する化合物である、請求項７に記載の化合物。
【請求項１０】
Ｒ７はＣ＝Ｓである、請求項３に記載の化合物。
【請求項１１】
Ｒ７はＣ−ＮＨ２であり、かつ式
【化７】
2016507575.tif 000007
を有する、請求項１〜５のいずれか一項に記載の化合物。
【請求項１２】
式
【化８】
2016507575.tif 000008
（式中、
Ｒ１およびＲ２は独立して非存在であり、またはアルキル、ハロアルキル、シクロアルキル、アルケニル、アルキニル、アルコキシ、チオアルキル、アリール、置換アリール、ヘテロアリール、および置換ヘテロアリールから選択され、かつ
Ｘ２、Ｙ、およびＺは独立してＣＨまたはＮである。）
の化合物である、請求項１１に記載の化合物。
【請求項１３】
Ｒ５およびＲ６は異なるハロゲンである、請求項１〜８、１１および１２のいずれか一項に記載の化合物。
【請求項１４】
Ｒ５およびＲ６は同じハロゲンである、請求項１〜８、１１および１２のいずれか一項に記載の化合物。
【請求項１５】
Ｒ５およびＲ６はＣｌまたはＦである、請求項１〜８、１１および１２のいずれか一項に記載の化合物。
【請求項１６】
Ｒ５およびＲ６は両方ともＦである、請求項１〜８、１１および１２のいずれか一項に記載の化合物。
【請求項１７】
式
【化９】
2016507575.tif 000009
を有する化合物である、請求項１２に記載の化合物。
【請求項１８】
Ｘ１はＣＨである、請求項１〜７および１０〜１７のいずれか一項に記載の化合物。
【請求項１９】
Ｒ８はＨまたはＣＨ３である、請求項１〜７および１０〜１８のいずれか一項に記載の化合物。
【請求項２０】
以下
【化１０Ａ】
2016507575.tif 000010
【化１０Ｂ】
2016507575.tif 000011
【化１０Ｃ】
2016507575.tif 000012
からなる群から選択される式を有する化合物である、請求項３に記載の化合物。
【請求項２１】
式
【化１１】
2016507575.tif 000013
を有する化合物、あるいはその医薬として許容し得る塩、その互変異性体、その互変異性体の医薬として許容し得る塩、その鏡像異性体、またはその鏡像異性体の医薬として許容し得る塩。
【請求項２２】
実質的に純粋なＳ鏡像異性体である、請求項１〜２１のいずれか一項に記載の化合物。
【請求項２３】
実質的に純粋なＲ鏡像異性体である、請求項１〜２１のいずれか一項に記載の化合物。
【請求項２４】
ＡＰＰへ、および／もしくは酵素ＢＡＣＥへ、および／もしくはＡＰＰ／ＢＡＣＥ複合体へ結合する；ならびに／または
ＡＰＰへ結合し、かつ酵素ＢＡＣＥを阻害する、請求項１〜２３のいずれか一項に記載の化合物。
【請求項２５】
医薬として許容し得る担体および請求項１〜２４のいずれか一項に記載の化合物を含む、医薬製剤。
【請求項２６】
経口送達、イソフォレティック送達、経皮送達、非経口送達、エアゾール投与、吸入を介した投与、静脈内投与、および直腸投与からなる群から選択される経路を介する投与のために調合された、請求項２５に記載の製剤。
【請求項２７】
アルツハイマー病の前段階の容態および／もしくは認知機能障害の発症を予防もしくは遅延させ、ならびに／またはアルツハイマー病の前段階の認知機能障害の１つ以上の症状を寛解させ、またはアルツハイマー病へのアルツハイマー病の前段階の容態および／もしくは認知機能障害の進行を予防もしくは遅延させる、またはアルツハイマー病の１つ以上の症状を寛解させ、ならびに／またはアルツハイマー病を逆転させ、ならびに／またはアルツハイマー病の進行速度を低下させるための、請求項２５に記載の製剤。
【請求項２８】
哺乳類動物における加齢黄斑変性（ＡＭＤ）を停止または逆転させるための、請求項２５に記載の製剤。
【手続補正書】
【提出日】平成29年1月10日(2017.1.10)
【手続補正１】
【補正対象書類名】明細書
【補正対象項目名】００６９
【補正方法】変更
【補正の内容】
【００６９】
ＧＢ溶液中で３０分後、ｐＨ６．５に調整した、ダブルストレングスのリン酸緩衝液食塩水（０．１６６Ｍ  ＮａＣｌ、０．０４０Ｍ  Ｎａ２ＨＰＯ４、および０．０９３Ｍ  ＫＨ２ＰＯ４）中の、ダブルストレングス（１ｗｔ％）の人工腸液粉末（ＳＩＦ粉末、Ｐｈａｒｅｓ  ＡＧ、Ｂａｓｅｌ、Ｓｗｉｔｚｅｒｌａｎｄから入手可能）０．８ｍＬを各チューブに添加した。チューブを１分間ボルテックスした。試験溶液組成物は、絶食時を人工腸液（ＦａＳＳＩＦ）の模擬試験を行なうために使用した。ＦａＳＳＩＦ粉末は、４対１のモル比の胆汁酸塩（タウロコレート）およびリン脂質（レシチン）、加えて緩衝剤および浸透調整剤を含有する。各チューブ中の活性物質濃度は、全ての活性物質が溶解された場合１０００μｇ／ｍＬであった。ＦａＳＳＩＦ溶液中で３分後、チューブを１３，０００ｒｐｍで１分間遠心分離した。前述の通り、遠心分離した上清アリコート５０μＬを採取し、メタノール２５０μＬを含有するＨＰＬＣバイアルに添加した。次いで、チューブを３０秒間ボルテックスし、次の時点まで静置させた。この手順を繰り返して、チューブにＦａＳＳＩＦを添加した後１０、２０、４０、９０、および１８０分において試料を収集した。
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
Ａ）ポリヒドロキシ硬化性フルオロエラストマー；
Ｂ）ポリヒドロキシ硬化剤；及び
Ｃ）水酸化酸化γ−アルミニウムと酸化マグネシウムとを含むアニオントラップ剤の混合物、を含む、硬化性フルオロエラストマー組成物。
【請求項２】
Ａ）フルオロエラストマー；及び
Ｂ）水酸化酸化γ−アルミニウムと酸化マグネシウムとを含むアニオントラップ剤の混合物、を含む、ポリヒドロキシ硬化フルオロエラストマー物品。
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
層状配置された触媒を用いる接触水素化分解プロセスを最適化するための方法であって、
（ａ）（ｉ）水素化分解が可能であり、且つ（ｉｉ）水素化、水素化脱硫及び水素化脱窒素の少なくとも１種が可能なモデル化合物を複数種の触媒と接触させて、（ｉ）及び（ｉｉ）のそれぞれに最適な触媒を決定する段階と、
（ｂ）続いて（ｉ）及び（ｉｉ）のそれぞれに最適な前記触媒を、前記モデル化合物と反応するこれらの活性に基づいて反応室内に層状に配置する段階と、
（ｃ）炭化水素を含有する原料油からより低い分子量の炭化水素を生成するのに好ましい条件下において、前記原料油と前記層状に配置した触媒とを接触させる段階とを含む方法であって、
前記モデル化合物の沸点が、１８０℃〜５２０℃の範囲であり、メチルナフタレン、ジベンゾチオフェン又はそのアルキル化若しくはナフチル化誘導体、塩基性窒素化合物およびカルバゾール分子からなる群から選択される方法。
【請求項２】
前記原料油の二重結合価（ＤＢＥ）を決定する段階と、前記原料油に最適な水素化分解触媒を決定するために、前記原料油のＤＢＥを有する物質の水素化分解に適した複数種の触媒に前記モデル化合物を接触させる段階とを更に含む、請求項１に記載の方法。
【請求項３】
最適な第２の触媒を決定するために、前記原料油よりもＤＢＥ値が低い物質の水素化、水素化脱硫又は水素化脱窒素に適した第２の複数種の触媒に前記モデル化合物を接触させる段階を更に含む、請求項２に記載の方法。
【請求項４】
前記原料油中に含有される前記炭化水素の二重結合価は２４以下である、請求項２に記載の方法。
【請求項５】
前記原料油の二重結合価は２４以下であり、前記触媒の少なくとも１種はＶＧＯ水素化分解用触媒である、請求項２に記載の方法。
【請求項６】
前記原料油の二重結合価は２５以上であり、前記触媒の少なくとも１種は重質原料油用に設計された触媒である、請求項２に記載の方法。
【請求項７】
前記炭化水素含有原料油を前記反応室と３５０℃〜４５０℃の温度で接触させる段階を含む、請求項１に記載の方法。
【請求項８】
前記炭化水素含有原料油を、原料油１Ｌ当たり２５００Ｌ未満の水素供給量で前記反応室と接触させる段階を含む、請求項１に記載の方法。
【請求項９】
前記炭化水素含有原料油を前記反応室と１００ｂａｒ〜２００ｂａｒの圧力で接触させる段階を含む、請求項１に記載の方法。
【請求項１０】
前記触媒の少なくとも１種は、周期律表第ＶＩ、ＶＩＩ若しくはＶＩＩＩＢ族金属を含有し、又は貴金属である、請求項１に記載の方法。
【請求項１１】
前記金属はＣｏ、Ｎｉ、Ｗ、Ｍｏ、Ｐｔ又はＰｄである、請求項１０に記載の方法。
【請求項１２】
前記触媒の少なくとも１種は、アモルファスアルミナ、シリカアルミナ、チタン、Ｙ型ゼオライト又は少なくとも１種の遷移金属が挿入されたＹ型ゼオライトを含有する、請求項１に記載の方法。
【請求項１３】
前記遷移金属はＺｒ、Ｔｉ、Ｈｆ及びこれらの組み合わせである、請求項１２に記載の方法。
【請求項１４】
前記化合物は、水素化、水素化脱硫及び水素化脱窒素の少なくとも２種が可能である、請求項１に記載の方法。
【請求項１５】
前記化合物は、水素化、水素化脱硫及び水素化脱窒素が可能である、請求項１に記載の方法。
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
機関運転の間に可変ジオメトリタービン及びＥＧＲバルブを制御する制御器を有した内燃機関を制御するための方法であって、該方法は、
機関運転パラメータを用いて非線形モデルを展開することと、
前記非線形モデルに基づいて、それぞれの機関運転ゾーンのため線形二次モデル予測制御器を展開することと、
前記線形二次モデルに基づいてレートベースの予測モデルを生成し、要求される機関タービンリフト及び要求されるＥＧＲ流量を生成するために、機関吸気マニホールド圧及びＥＧＲバルブ流量に応じて前記制御器内の前記レートベースの予測モデルを用いることと、
生成された前記機関タービンリフト及び生成された前記ＥＧＲ流量に基づき前記内燃機関の運転を制御することと、を含む方法。
【請求項２】
機関速度範囲及び燃料比領域のための中央線形化ポイント周りの少なくとも１つの機関運転ゾーンを規定することをさらに含む、請求項１に記載の方法。
【請求項３】
機関運転ゾーン内の中央線形化ポイントで前記非線形モデルを線形化することをさらに含む、請求項２に記載の方法。
【請求項４】
前記非線形モデルに基づいて二次低減線形モデルを展開することをさらに含む、請求項３に記載の方法。
【請求項５】
線形モデルの導関数として前記レートベースの予測モデルを生成することをさらに含む、請求項４に記載の方法。
【請求項６】
区分的アフィン制御則の式、すなわち、
Ｈiｘaug≦Ｋkのとき、
ｕk+1＝ｕk＋Ｔs（Ｆiｘaug＋Ｇi）
において、線形二次モデルとして線形モデルを生成することをさらに含む、請求項５に記載の方法。
【請求項７】
機関運転の間に可変ジオメトリタービン及びＥＧＲバルブを制御する制御器を有した内燃機関を制御するための方法であって、該方法は、
要求される機関タービンリフト及び要求されるＥＧＲ流量を生成するために、機関吸気マニホールド圧及びＥＧＲバルブ流量に応じて前記制御器内のレートベースの予測モデルを用いることと、
前記レートベースの予測モデル制御器に部分的インバージョンを適用して、ＥＧＲバルブ流量信号をＥＧＲバルブ位置デューティサイクル信号に変換し、且つ、タービンリフト信号をタービンリフトデューティサイクル信号に変換することと、
変換された前記ＥＧＲバルブ位置デューティサイクル信号及び変換された前記タービンリフトデューティサイクル信号に基づき前記内燃機関の運転を制御することと、
を含む、方法。
【請求項８】
機関運転の間に可変ジオメトリタービン及びＥＧＲバルブを制御する制御器を有した内燃機関を制御するための方法であって、該方法は、
要求される機関タービンリフト及び要求されるＥＧＲ流量を生成するために、機関吸気マニホールド圧及びＥＧＲバルブ流量に応じて前記制御器内のレートベースの予測モデルにおいて、
【数１】
2016507691.tif 000001
によって、ＥＧＲスロットル制御器を展開することと、
生成された前記機関タービンリフト及び生成された前記ＥＧＲ流量に基づき前記内燃機関の運転を制御することと、を含む、方法。
【請求項９】
少なくとも１つの制御器出力のオーバーシュート制限を実行するため、単一の時刻を用いることによって、少なくとも１つの機関運転ゾーンのそれぞれにおける領域の数を減ずることをさらに含む、請求項１に記載の方法。
【請求項１０】
前記単一の時刻が２０の時間ステップを有する、請求項９に記載の方法。
【請求項１１】
機関状態を推定することと、
推定された前記機関状態に基づいて前記区分的アフィン制御則の前記領域を決定することと、
制御レートを決定するために前記区分的アフィン制御則の選択された前記領域と関連したフィードバックゲインを適用することと、
１つの機関入力に適用される制御値を決定するために前記制御レートを積分することと、を含む、請求項６に記載の方法。
【請求項１２】
機関運転の間、タービンリフト及びＥＧＲ流量を生成するため、前記機関吸気マニホールド圧及び要求される前記ＥＧＲバルブ流量に応じて、プロセッサにより可変ジオメトリタービン及びＥＧＲバルブを制御することと、を含む、請求項１に記載の方法。
【請求項１３】
線形モデルの導関数として前記レートベースの予測モデルを生成することと、
区分的アフィン制御則の式、すなわち、
Ｈiｘaug≦Ｋkのとき、
ｕk+1＝ｕk＋Ｔs（Ｆiｘaug＋Ｇi）
により、線形二次モデルとして線形モデルを生成することと、
機関状態を推定することと、
推定された前記機関状態に基づいて前記区分的アフィン制御則の前記領域を決定することと、
制御レートを決定するために前記区分的アフィン制御則の選択された前記領域と関連したフィードバックゲインを適用することと、
１つの機関入力に適用される制御値を決定するために前記制御レートを積分することと、をさらに含む、請求項１に記載の方法。
【誤訳訂正書】
【提出日】平成29年7月24日(2017.7.24)
【誤訳訂正１】
【訂正対象書類名】特許請求の範囲
【訂正対象項目名】全文
【訂正方法】変更
【訂正の内容】
【特許請求の範囲】
【請求項１】
既存の紙生産のパルピング段階において、廃古紙を原料として得られた廃紙パルプと、製紙用植物繊維原料を原料とし、蒸解して得られる植物繊維パルプ材料とを混合して紙パルプ原料とし、共に洗浄、スクリーン、漂白、水和およびパルプ粉砕を行い、抄紙段階の叩解工程後に防水添加剤を加えて混合し、得られた紙料を抄紙機に送って抄造し、前記防水添加剤が、油脂、デンプン、ペクチン、ソーダパルプ、亜硫酸塩パルプ、硫酸塩パルプ、ポリアクリロニトリル、大理石粉末、水酸化ナトリウム、水溶性高分子重合体のうちの前記デンプン、ペクチン及びポリアクリロニトリル以外のもの、樹脂のうちの前記デンプン、ペクチン、ポリアクリロニトリル及び水溶性高分子重合体以外のものであることを特徴とする、防水再生紙の製造方法。
【請求項２】
前記抄紙段階の叩解工程後に防水添加剤を加えて混合するとは、抄紙段階において、叩解工程の終了後、紙パルプに、紙パルプに対して以下の重量パーセントの添加剤、すなわち油脂１％〜２％、デンプン１％〜２％、ペクチン１．５％〜２％、ソーダパルプ１．５％〜２％、亜硫酸塩パルプ１．５％〜２％、硫酸塩パルプ１％〜２％、ポリアクリロニトリル１％〜２％、大理石粉末１％〜２％、水酸化ナトリウム２．５％〜３．５％、水溶性高分子重合体のうちの前記デンプン、ペクチン及びポリアクリロニトリル以外のもの１％〜２％、樹脂のうちの前記デンプン、ペクチン、ポリアクリロニトリル及び水溶性高分子重合体以外のもの２％〜２．５％を加えることを指すことを特徴とする、請求項１に記載の防水再生紙の製造方法。
【請求項３】
前記油脂が植物系の天然油脂であり、前記樹脂が天然樹脂であり、前記水溶性高分子重合体が、天然動植物を原料とし、抽出して得られるデンプン系、セルロース、植物性ゼラチン、動物性ゼラチン系の天然水溶性高分子重合体、または化学修飾した天然水溶性高分子重合体の１種または複数であることを特徴とする、請求項１または２に記載の防水再生紙の製造方法。
【請求項４】
前記廃紙パルプおよび植物繊維パルプ材料の混合重量比が、廃紙パルプ３５％〜４５％、植物繊維パルプ５５％〜６５％であることを特徴とする、請求項１に記載の防水再生紙の製造方法。
【請求項５】
前記製紙用植物繊維原料を原料とし、蒸解して得られる植物繊維パルプ材料について、蒸解するとき、絶対乾燥の材料片と井戸水、河水または水道水との比率を１：３とすることを特徴とする、請求項１に記載の防水再生紙の製造方法。
【請求項６】
前記水和、パルプ粉砕について、洗浄、漂白、洗浄スクリーンした後の混合パルプ材料を、パルプ粉砕システムに導入して３０〜２４０ｍｉｎパルプ粉砕を行い、叩解度が４５°ＳＲ〜４８°ＳＲの叩解後パルプが得られることを特徴とする、請求項１に記載の防水再生紙の製造方法。
【請求項７】
前記抄紙機による抄造におけるトップワイヤの紙パルプ濃度が０．１〜１．２％であることを特徴とする、請求項１に記載の防水再生紙の製造方法。
【請求項８】
前記防水再生紙が、防水性能を有する包装材料、印刷材料、装飾材料、防護材料の加工生産の方面で応用されることを特徴とする、請求項１〜７のいずれか１項に記載の防水再生紙の製造方法。
【請求項９】
前記防水再生紙を、使用後に回収、不純物除去処理して、直接繊維原料とし、前記調製
プロセスに応用して、防水再生紙を再生、調製することを特徴とする、請求項１〜８のいずれか１項に記載の防水再生紙の製造方法。
【誤訳訂正２】
【訂正対象書類名】明細書
【訂正対象項目名】００１２
【訂正方法】変更
【訂正の内容】
【００１２】
前記水溶性高分子重合体は、天然動植物を原料とし、抽出して得られるデンプン系、セルロース、植物性ゼラチン、動物性ゼラチン系の天然水溶性高分子重合体、または化学修飾した天然水溶性高分子重合体の１種または複数である。化学修飾した天然水溶性高分子重合体は、主に化工デンプン、変性セルロースを有し、カルボキシメチルデンプン、酢酸デンプン、ヒドロキシメチルセルロース、カルボキシメチルセルロースを含む。
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
ボンドコート及び／又はバリア皮膜材料を回収するための方法であって、当該方法が、
ボンドコート材料とバリア皮膜材料とが混ざり合った混合物に、ボンドコート材料の一部を含む１以上の常磁性画分、及びバリア皮膜材料の一部を含む反磁性画分を生成するのに有効な条件下で、１以上の磁場を印加する段階と、
常磁性のボンドコート酸化物成分を含む第１の常磁性画分、及び反磁性のバリア皮膜材料と混ざり合った常磁性のボンドコート成分を含む常磁性−反磁性画分を生成するのに有効な条件下で、混合物を第１の磁場に供する段階と、
反磁性のバリア皮膜材料から常磁性のボンドコート成分を分離するのに有効な条件下で、常磁性−反磁性画分を第２の磁場に供する段階と
を含んでおり、第１の磁場が第２の磁場よりも弱い、方法。
【請求項２】
ボンドコート材料及びバリア皮膜材料が、それぞれ１種以上の希土類元素を含む、請求項１記載の方法。
【請求項３】
ボンドコート材料が、ＭＣｒＡｌＹ（式中、Ｍは、Ｆｅ、Ｎｉ及びＣｏの１種以上である）を含む、請求項２記載の方法。
【請求項４】
バリア皮膜材料が、イットリア安定化ジルコニア、又はカルシア、セリア、スカンジア、マグネシア、インジア、ランタナ、ネオジミア、イッテルビア、ストロンチア、酸化バリウム、酸化ニッケル、酸化第二鉄、酸化第一コバルト、ジスプロシア、ガドリニア、サマリア、エルビア、ユーロピア、プラセオジミア及びそれらの混合物からなる群から選択されるジルコニア中の他の希土類安定化剤を含む、請求項２又は請求項３記載の方法。
【請求項５】
混合物を、ボンドコート材料とバリア皮膜材料との分離を容易にするのに有効な温度まで加熱する段階をさらに含む、請求項１乃至請求項４のいずれか１項記載の方法。
【請求項６】
前記温度が４００℃を超える、請求項５記載の方法。
【請求項７】
混合物を第１の磁場に供する段階が、混合物を、常磁性のボンドコート酸化物成分を引き付ける第１の磁石に曝露し、それによって常磁性−反磁性画分から常磁性のボンドコート酸化物成分を分離することを含む、請求項１乃至請求項６のいずれか１項記載の方法。
【請求項８】
第１の磁石が、０．００１〜０．１５アンペアの電流で作動する磁気分離機によって発生する磁場と同等の磁場を提供する、請求項７記載の方法。
【請求項９】
常磁性−反磁性画分を第２の磁場に供する段階が、常磁性−反磁性画分を、反磁性のバリア皮膜材料と反発する第２の磁石に曝露し、それによって反磁性のバリア皮膜材料からボンドコート成分を分離することを含む、請求項１乃至請求項８のいずれか１項記載の方法。
【請求項１０】
第２の磁石が、斜面の長手方向の傾き５〜２５°及び軸方向の傾斜０〜２５°で測定して、０．１５アンペアより大きい電流で作動する磁気分離機によって発生する磁場と同等の磁場を提供する、請求項９記載の方法。
【請求項１１】
混合物を第１の磁場に供する段階が、常磁性−反磁性画分を第２の磁場に供する段階の前に、１回以上繰り返される、請求項１乃至請求項１０のいずれか１項記載の方法。
【請求項１２】
常磁性−反磁性画分を第２の磁場に供する段階が、１回以上繰り返される、請求項１乃至請求項１１のいずれか１項記載の方法。
【請求項１３】
混合物に１以上の磁場を印加する前に、サイズ排除によって混合物から残骸を除去する段階をさらに含む、請求項１乃至請求項１２のいずれか１項記載の方法。
【請求項１４】
混合物から単離された、常磁性のボンドコート酸化物成分、常磁性のボンドコート成分又は反磁性のバリア皮膜材料の１つ以上を、化学的加工によって精製する段階をさらに含む、請求項２記載の方法。
【請求項１５】
空気プラズマ溶射工程、電子ビーム物理蒸着工程、及び／又はバリア皮膜剥離工程から、混ざり合った過剰のボンドコート材料及びバリア皮膜材料を収集する段階をさらに含む、請求項１記載の方法。
【誤訳訂正書】
【提出日】平成29年2月23日(2017.2.23)
【誤訳訂正１】
【訂正対象書類名】特許請求の範囲
【訂正対象項目名】全文
【訂正方法】変更
【訂正の内容】
【特許請求の範囲】
【請求項１】
少なくとも以下の工程：
（Ａ）少なくとも一種のポリエステルポリオール及び／又はポリエーテルポリオールを、ポリイソシアネートの全量に対して０．１〜２０ｍｏｌ％の量の少なくとも一種の第１のポリイソシアネートと反応させて、存在する末端基の７０％を超える末端基が末端ヒドロキシ基であるプレポリマーを生成する工程と、
（Ｂ）工程（Ａ）からのプレポリマーを、少なくとも一種の第２のポリイソシアネート及び、任意に他の添加剤と反応させて、ポリウレタンを生成する工程と、
を有し、
ポリイソシアネートの全量が、工程（Ａ）で加えられた量及び工程（Ｂ）で加えられた量であることを特徴とするポリウレタンの製造方法。
【請求項２】
前記少なくとも一種の第１のポリイソシアネートが、少なくとも一種の脂肪族ポリイソシアネートであることを特徴とする請求項１に記載の製造方法。
【請求項３】
前記少なくとも一種の第１のポリイソシアネートと前記少なくとも一種の第２のポリイソシアネートが異なることを特徴とする請求項１又は２に記載の製造方法。
【請求項４】
前記少なくとも一種の第１のポリイソシアネートと前記少なくとも一種の第２のポリイソシアネートが同一であることを特徴とする請求項１又は２に記載の製造方法。
【請求項５】
前記存在する末端基の７０％を超える末端基が末端ヒドロキシ基であるプレポリマーが、工程（Ａ）後に分離されず、工程（Ｂ）で直接使用されることを特徴とする請求項１〜４の何れか一項に記載の製造方法。
【請求項６】
前記存在する末端基の７０％を超える末端基が末端ヒドロキシ基であるプレポリマーが、工程（Ａ）後に分離されることを特徴とする請求項１〜４の何れか一項に記載の製造方法。
【請求項７】
工程（Ｂ）が、２０〜２５０℃の温度で行われることを特徴とする請求項１〜６の何れか一項に記載の製造方法。
【請求項８】
以下の工程（Ｃ）
（Ｃ）工程（Ｂ）で生成されたポリウレタンを３０〜１２０℃の温度でコンデショニングする工程
が、工程（Ｂ）の後に行われることを特徴とする請求項１〜７の何れか一項に記載の製造方法。
【請求項９】
請求項１〜８の何れか一項に記載の製造方法によって製造されるポリウレタン。
【請求項１０】
ＡＳＴＭ  Ｅ３１３に準ずる黄色度が１〜６０であることを特徴とする請求項９に記載のポリウレタン。
【請求項１１】
自動車、コーティング、ケーブル、プラグコネクタ、太陽電池モジュール、箔、成形体、靴底及び靴構成部材、ボール及びボール構成部材、ローラー、繊維、プロファイル、積層体及びワイパーブレード、ホース、ケーブルプラグ、蛇腹構造体、牽引用ケーブル、ケーブル外装、ガスケット、不織布、駆動ベルト又は減衰要素におけるクラッディングとして、請求項９又は１０に記載のポリウレタンを使用する方法。
【誤訳訂正２】
【訂正対象書類名】明細書
【訂正対象項目名】００１７
【訂正方法】変更
【訂正の内容】
【００１７】
これらの物質と一緒に、全反応混合物に対して最大３質量％の少量の、低分子量の高官能性ポリオール、例えば、１，１，１−トリメチロールプロパン又はペンタエリトリトールを付随して使用することも可能である。
【誤訳訂正３】
【訂正対象書類名】明細書
【訂正対象項目名】００２０
【訂正方法】変更
【訂正の内容】
【００２０】
当業者に知られる方法が、好ましくは、本発明に従って使用されるポリエステルポリオール、特に好ましくは、ポリエステルジオールを製造するための重縮合に使用され、例えば、最初に、反応水（反応による水）を除去するために、大気圧下又は大気圧下からわずかに減少した圧力下で、１５０〜２７０℃の温度を使用し、その後、例えば、５〜２０ｍｂａｒまで圧力をゆっくりと下げることによって使用される。触媒は原則として必要ないが、好ましくは加えられる。この目的のために使用され得る触媒の例は、スズ（ＩＩ）塩、チタン（ＩＶ）化合物、ビスマス（ＩＩＩ）塩、などである。
【誤訳訂正４】
【訂正対象書類名】明細書
【訂正対象項目名】００２１
【訂正方法】変更
【訂正の内容】
【００２１】
さらに、不活性ガス、例えば窒素を使用して、反応水を除去することは有利となり得る。使用され得る他の方法は、室温で液体である、例えばトルエンである添加溶剤を共沸エステル化方法で使用する。
【誤訳訂正５】
【訂正対象書類名】明細書
【訂正対象項目名】００４５
【訂正方法】変更
【訂正の内容】
【００４５】
本発明によると、好ましくは、使用するポリイソシアネートの全量と使用する少なくとも一種のポリマーポリオールの量は、存在する全てのヒドロキシ基に対する存在する全てのＮＣＯ基の当量比が０．９：１．０〜１．１：１．０、好ましくは、０．９５：１．０〜１．１０：１．０となるような方法で選択する。
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
カスタムフィットヘルメットを作製する方法であって、
第１位置において、長さ、幅、及び少なくとも１つの頭部輪郭を含む、顧客頭部の頭部データを得る工程と、
少なくとも１つのプロセッサにより、前記頭部データからの顧客の頭部長さ、幅、及び頭部輪郭と適合するコンピュータ処理した三次元（３Ｄ）頭部模型を生成する工程と、
前記第１位置とは異なる第２位置において、前記３Ｄ頭部模型に基づいてカスタムフィットヘルメットを形成する工程であって、前記カスタムフィットヘルメットは、前記顧客頭部の長さ、幅、及び少なくとも１つの輪郭と適合するトポグラフィーを含む内側表面を含む、工程とを含む、方法。
【請求項２】
前記顧客の頭部上に配置された変形可能な境界部材の画像を得ることにより、顧客頭部の頭部データを得る工程であって、前記変形可能な境界部材の厚さは、前記カスタムフィットヘルメット内に配置される詰め物層の厚さと近似している、工程を更に含む、請求項１に記載の方法。
【請求項３】
光学センサー、カメラ、又はレーザーを使用することにより前記画像を得る工程を更に含む、請求項２に記載の方法。
【請求項４】
測定点を含む前記変形可能な境界部材の画像を得る工程を更に含む、請求項２に記載の方法。
【請求項５】
既知の大きさのマーカーを含む画像を得る工程を更に含む、請求項２に記載の方法。
【請求項６】
前記頭部データを得る工程は、前記顧客頭部に隣接するように位置付けられた非接触センサーを使用して前記頭部データを収集する工程を含む、請求項１に記載の方法。
【請求項７】
少なくとも前記顧客の最新の頭部長さ及び最新の頭部幅を測定することによって、少なくとも６ヶ月後に顧客の頭部データを更新する工程を更に含む、請求項１に記載の方法。
【請求項８】
前記顧客頭部の写真画像を捕捉することによって前記第１位置において前記頭部データを得る工程であって、前記第１位置は顧客の家である、工程と、
前記顧客頭部の前記捕捉された写真画像を、前記顧客の家から、前記顧客の家と離れた場所に位置する少なくとも１つのプロセッサに送信する工程とを更に含む、請求項１に記載の方法。
【請求項９】
前記顧客頭部の写真画像を捕捉することによって前記第１位置において前記頭部データを得る工程であって、前記第１位置は店である、工程と、
前記顧客頭部の前記捕捉された写真画像を、前記店から前記店と離れた場所に位置する少なくとも１つのプロセッサに送信する工程とを更に含む、請求項１に記載の方法。
【請求項１０】
前記顧客頭部の長さ、幅、及び少なくとも１つの輪郭と比例する表面トポグラフィーを含む、前記カスタムフィットヘルメットの前記内側表面を形成する工程を更に含む、請求項１に記載の方法。
【請求項１１】
前記頭部データからグラフィックによりコンピュータ処理した３Ｄ頭部模型を生成する工程と、
グラフィックによる３Ｄヘルメット安全基準としてヘルメット安全基準を提供する工程と、
前記カスタムフィットヘルメットの前記内側表面の大きさ及び形状を決定するために、前記グラフィックによる３Ｄ頭部模型を前記グラフィックによる３Ｄヘルメット安全基準内に位置付けることによって、前記３Ｄ頭部模型を前記ヘルメット安全基準と比較する工程とを更に含み、
前記第２位置において形成された前記カスタムフィットヘルメットは、前記ヘルメット安全基準を満たす、請求項１に記載の方法。
【請求項１２】
既定の表面を含む、前記ヘルメット安全基準を提供する工程を更に含む、請求項１１に記載の方法。
【請求項１３】
試験ラインを含む、前記ヘルメット安全基準を提供する工程を更に含む、請求項１２に記載の方法。
【請求項１４】
前記カスタムフィットヘルメットの前記内側表面の大きさ及び形状とは異なる大きさ及び形状を含む表面を含むヘルメット基部ユニットを選択する工程と、
コンピュータ数値制御（ＣＮＣ）マシンを使用して、前記ヘルメット基部ユニットから延伸ポリスチレン（ＥＰＳ）を除去することによって前記カスタムフィットヘルメットの前記内側表面を形成する工程とを更に含む、請求項１に記載の方法。
【請求項１５】
加法プロセスによって前記カスタムフィットヘルメットの前記内側表面を形成する工程を更に含む、請求項１に記載の方法。
【請求項１６】
複数の連続的な部品、又は複数の別個の部品を含むライナーをヘルメット基部ユニット内に挿入することによって、前記カスタムフィットヘルメットの前記内側表面を形成する工程を更に含む、請求項１に記載の方法。
【請求項１７】
実質的に平坦な部品の配列として前記ライナーを形成する工程と、
前記コンピュータ処理した頭部模型を反映するように、前記実質的に平坦な部品の配列の表面を調節する工程とを更に含む、請求項１６に記載の方法。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
フィルタ式フェースピースレスピレータであって、
（ａ）ハーネスと、
（ｂ）濾過構造体を備えるマスク本体であって、前記濾過構造体が、濾材の１つ以上の層を含み、周辺部並びに対向する第１側部及び第２側部を有し、前記マスク本体が、前記対向する第１側部及び第２側部に位置する、第１フランジ及び第２フランジも有し、前記第１フランジ及び前記第２フランジが、それぞれ前縁部を有し、前記マスク本体が使用時の形態にあるときに、前記フランジのそれぞれが内向きに折り畳まれて、前記濾過構造体と接触し、各フランジの前記前縁部が、前記フランジが前記濾過構造体と接触するように内向きに折り畳まれるときに、前記マスク本体の前記周辺部に整合するように構成される、マスク本体と、を備える、フィルタ式フェースピースレスピレータ。
【請求項２】
フィルタ式フェースピースレスピレータであって、
（ａ）ハーネスと、
（ｂ）濾過構造体を備えるマスク本体であって、前記濾過構造体が、濾材の１つ以上の層を含み、周辺部並びに対向する第１側部及び第２側部を有し、前記マスク本体が、前記対向する第１側部及び第２側部に位置する、第１フランジ及び第２フランジも有し、前記第１フランジ及び前記第２フランジが、それぞれ前縁部を有し、前記マスク本体が使用時の形態にあるときに、前記フランジのそれぞれが内向きに折り畳まれて、前記濾過構造体と接触し、前記周辺部が、上側セグメント及び底部セグメントを含み、各セグメントが、前記セグメントが互いに接する場所で曲線状である、マスク本体と、を備える、フィルタ式フェースピースレスピレータ。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
使用者の望む形状を衣服に与える目的のために内側に少なくとも１つのステーが取り付けられ、使用者が形作り得る輪郭を備える衣服であって、
前記衣服は、
外側部および内側部を含む、左側のプラケット領域および右側のプラケット領域であって、それらのうちの少なくとも一方が前記外側部と内側部の間に配置される内部区画を有する、左側のプラケット領域および右側のプラケット領域を含み、
前記左側および右側プラケット領域の中のそれぞれは、衣服の首穴において終端する上端部を含み、
前記ステーの少なくとも１つは、前記左側または右側のプラケット領域に形状を与えるために、前記少なくとも１つの内部区画の中に配置され、
前記左側または右側のプラケット領域の少なくとも一方は、前記内部区画に導く開口部を有し、それを通り抜けるように前記ステーを受容し、
前記開口部は、前記プラケット領域の内側部、側部、上端部、または下端部に配置され、
前記少なくとも１つのステーは、全体として平らで、前記左側または右側プラケット領域の上端部に配置される上方遠位端を有し、
前記衣服は、ジャケット、シャツ、ポロシャツ、スポーツシャツ、ボタン付きシャツ、ブレザー、スーツジャケット、ジッパーフロントジャケット、ジッパーフロントシャツ、コート、セーター、およびハイカラーのシャツ、ジャケットまたはコートからなる群から選択された１つであることを特徴とする衣服。
【請求項２】
請求項１に記載の衣服であって、前記少なくとも１つのステーは、その長手軸と平行な方向を向くチャネルを規定する切除部を有することを特徴とする衣服。
【請求項３】
請求項２に記載の衣服であって、前記チャネルは球根状の凹みに接続されることを特徴とする衣服。
【請求項４】
請求項３に記載の衣服であって、前記少なくとも１つのステーは、前記チャネルで分離された第１の付属部および第２の付属部を有することを特徴とする衣服。
【請求項５】
請求項４に記載の衣服であって、
前記ステーは、鉄系または非鉄材料で形成され、金属、ステンレス鋼、プラスチック、ガラス繊維、炭素繊維、チタニウム、およびアルミニウムのうちの少なくとも１つを含み、
前記ステーは、前記少なくとも１つの内部区画の中に配置されているときに、衣服のボタンまたはボタン穴に当接係合し得るキャッチを有し、
前記第２の付属部は前記第１の付属部より長いことを特徴とする衣服。
【請求項６】
請求項４に記載の衣服であって、
前記左側または右側のプラケット領域のいずれか１つの中に配置される前記少なくとも１つのステーは、第１体と、前記第１体に平行に位置付けられる第２平行体を含み、
前記第１体および前記第２平行体は、前記同じ内部区画の中に受容され、ボタン、前記プラケット領域のボタン穴、平行な縫い目、および折り畳み縁部からなる群から選択された少なくとも１つによって分離されることを特徴とする衣服。
【請求項７】
請求項１に記載の衣服であって、
まっすぐな縁部が前記少なくとも１つのステーの長手軸に対し直角である、
衣服。
【請求項８】
請求項５に記載の衣服であって、
さらに、前記第１の付属部に結合する本体を含み、
前記第１の付属部は前記本体より長い、
衣服。
【請求項９】
請求項１に記載の衣服であって、
チャネルが２つの凹みを接続する、
衣服。
【請求項１０】
請求項１に記載の衣服であって、
第２の付属部が、内側に向けて曲がる端部を有する、
衣服。
【請求項１１】
請求項１に記載の衣服であって、
第２の付属部が第１の内側に向く湾曲部および第２の内側に向く湾曲部の間に配置された直線部を含む内側縁部を有する、
衣服。
【請求項１２】
衣服のプラケットに形状を与えるプラケットステーであって、
本体と、
前記本体と結合する第１の付属部と、
前記本体と結合し、前記本体より長い第２の付属部と、
前記第１および第２の付属部の間に配置される切除チャネルと、
左側または右側のプラケット領域の少なくとも一方は、前記左側または右側のプラケット領域の内側部と外側部の間に配置される内部区画に導く開口部を有し、それを通り抜けるように前記プラケットステーを受容し、
前記左側および右側プラケット領域のそれぞれは、衣服の首穴において終端する上端部を含み、
前記開口部は、前記プラケット領域の内側部、側部、上端部、または下端部に配置され、
前記プラケットステーのすべての部分は、単一の平坦材料から作られている、
プラケットステー。
【請求項１３】
請求項１２に記載のプラケットステーであって、
前記第２の付属部は、基礎部分と、中間部分と、終端部分を含み、前記基礎部分は前記中間部分より狭い、
プラケットステー。
【請求項１４】
請求項１３に記載のプラケットステーであって、
前記基礎部分は湾曲した内側縁部を含む、
プラケットステー。
【請求項１５】
請求項１４に記載のプラケットステーであって、
前記終端部分はもう１つの湾曲した内側縁部を含む、
プラケットステー。
【請求項１６】
請求項１４に記載のプラケットステーであって、
前記中間部分は前記基礎部分より長く、中間部分に渡って等しい幅を有する、
プラケットステー。
【請求項１７】
請求項１２に記載のプラケットステーであって、
前記第２の付属部は、その終端部分において、内側に湾曲する外側縁部を有する、
プラケットステー。
【請求項１８】
請求項１２に記載のプラケットステーであって、
前記第２の付属部は、前記本体より長い、
プラケットステー。
【請求項１９】
請求項１２に記載のプラケットステーであって、
前記本体は２つの直角のコーナーによる直線状の終端部を有する、
プラケットステー。
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
フィルタ式フェースピースレスピレータであって、
（ａ）ハーネスと、
（ｂ）１つ以上のプリーツを含む濾過構造体を有する、マスク本体であって、溶着表示部が、前記プリーツが折り畳まれているときに、前記プリーツ内で少なくとも１つの部分的に視認可能な場所に位置し、前記表示部が、前記プリーツが展開されているときに十分に視認可能である、マスク本体と、を備える、フィルタ式フェースピースレスピレータ。
【請求項２】
前記表示部が、前記プリーツの折り目を横断して延在する、少なくとも１つの線を含む、請求項１に記載のフィルタ式フェースピースレスピレータ。
【請求項３】
前記濾過構造体が、濾過層を含む複数の層を備え、前記表示部が、前記濾過構造体を構成する前記複数の層を一体に溶着することによって作製される、溶着パターンである、請求項２に記載のフィルタ式フェースピースレスピレータ。
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
フィルタ式フェースピースレスピレータであって、
（ａ）濾材の１つ以上の層を含む主要部分を備え、前記主要部分の対向側部上に位置する第１フランジ及び第２フランジを有する、マスク本体であって、前記第１フランジ及び前記第２フランジが、前記主要部分に向けて内向きに折り畳むことが可能である、マスク本体と、
（ｂ）それぞれが第１端部及び第２端部を有する、第１ストラップ及び第２ストラップを備える、ハーネスであって、
前記レスピレータが身に着けられているときに、前記第１ストラップが、着用者の耳の上方の経路を辿る第１セグメントを有し、前記第２ストラップが、着用者の耳の下方の経路を辿る第２セグメントを有するような、離間配置された関係性で各フラップに固定された、２つの端部が存在するように、前記第１端部及び前記第２端部が、それぞれ、前記第１フランジ及び前記第２フランジに固定され、
少なくとも前記第２ストラップが、前記レスピレータが身に着けられているときに、引張状態に配置され、そのような張力が、前記フラップを、前記主要部分と接触するように下向きに折り畳ませる、ハーネスと、を備える、フィルタ式フェースピースレスピレータ。
【請求項２】
前記マスク本体が、前記マスク本体の第１側部及び第２側部上に、それぞれ、第１境界線及び第２境界線を有し、前記第１ストラップが、前記第１境界線及び前記第２境界線から１センチメートル以下の距離で、前記第１フランジ及び前記第２フランジに固定され、前記第２ストラップが、前記第１境界線及び前記第２境界線から１．５センチメートル超の距離で、前記第１フランジ及び前記第２フランジに固定される、請求項１に記載のフィルタ式フェースピースレスピレータ。
【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
供給管（６）と、
分配方向（１０）において流体を搬送するように構成された分配管（８）と、
変形可能なポーチ（２）と、
開いた状態では、前記供給管（６）から前記ポーチ（２）の内部に流体が流れるのを許容し、閉じた状態では，それを許容しない供給弁（４）と、
開いた状態では、前記ポーチ（２）の内部から前記分配管（８）に流体が流れるのを許容し、閉じた状態では、それを許容しない、分配弁（５）を備えた流体分配装置（１６）であって、
前記分配弁（５）は、結合部分（１１，１１ａ）と一体化されており、前記分配管（８）の内壁の間で前記結合部分（１１，１１ａ）が締め付けられることによって前記装置の内部に保持されていることを特徴とする流体分配装置。
【請求項２】
前記供給弁（４）及び前記分配弁（５）は、前記結合部分（１１）によって結合され、これら２つの弁と前記結合部分（１１）は単一片（１２）として一体化され、前記２つの弁は、前記結合部分（１１）が前記分配管（８）の前記内壁の間に締め付けられることによって、前記装置の内部に保持されることを特徴とする請求項１に記載の流体分配装置。
【請求項３】
前記分配管（８）と前記供給管（６）の間の開口（Ｄ）をさらに備え、前記開口（Ｄ）は、前記結合部分（１１，１１ａ）によって塞がれていることを特徴とする請求項２に記載の流体分配装置。
【請求項４】
前記分配管（８）は、その間隔が狭くなる互いに対向する内壁を備え、近い方の内壁は前記分配弁（５）に達することを特徴とする請求項１乃至請求項３のいずれか一項に記載の流体分配装置。
【請求項５】
前記分配弁（５）と前記結合部分（１１，１１ａ）は、単一片として一体化されていることを特徴とする請求項１乃至請求項４のいずれか一項に記載の流体分配装置。
【請求項６】
前記分配弁（５）は、分配膜（９）を備え、
前記分配膜（９）は、
前記結合部分（１１，１１ａ）に対する自由端（１９）であって、この自由端（１９）は、前記分配弁（５）がその開いた状態と閉じた状態の間で変位するように動くように構成されたものと、
前記結合部分（１１，１１ａ）との結合部（２０）と、
を備えていることを特徴とする請求項１乃至請求項５のいずれか一項に記載の流体分配装置。
【請求項７】
前記分配膜（９）は、平坦であり、前記結合部（２０）から前記自由端（１９）に向かって、前記分配方向に対して０．１〜４５度の間の角度で伸張していることを特徴とする請求項６に記載の流体分配装置。
【請求項８】
前記供給弁（４）は結合部分（１１，１１ａ）と一体化されており、前記供給弁（４）は、供給膜（７）を備え、
前記供給膜（７）は、
前記結合部分（１１，１１ａ）に対する自由端（２１）であって、この自由端（２１）は、前記供給弁（４）がその開いた状態と閉じた状態の間で変位するように動くように構成されたものと、
前記結合部分（１１，１１ａ）との結合部（２２）と、
を備えていることを特徴とする請求項１乃至請求項７のいずれか一項に記載の流体分配装置。
【請求項９】
前記供給膜（７）は、平坦であり、前記結合部（２２）から前記自由端（２１）に向かって、前記分配方向（１０）に対して５〜４５度の間の角度で伸張していることを特徴とする請求項８に記載の流体分配装置。
【請求項１０】
前記供給膜（７）の前記自由端（２１）は、前記ポーチ（２）の内部に位置していることを特徴とする請求項８又は請求項９に記載の流体分配装置。
【請求項１１】
前記供給膜（７）の自由端（２１）を前記分配管（８）の開口（Ｄ）を通って前記ポーチ（２）の内側にガイドするように構成されたガイド手段（Ｆ）をさらに備えたことを特徴とする請求項３に従属する請求項８乃至請求項１０のいずれか一項に記載の流体分配装置。
【請求項１２】
前記供給膜（７）の前記結合部（２２）は、前記分配膜（９）の前記結合部（２０）よりも前記ポーチ（２）から遠く離れていることを特徴とする請求項６又は請求項７に従属する請求項８乃至請求項１１のいずれか一項に記載の流体分配装置。
【請求項１３】
請求項１乃至請求項１２のいずれか一項に係る流体分配装置（１６）の製造方法であって、前記分配管（８）を介して前記分配弁（５）を挿入するステップと、前記分配管の前記内壁の間に締め付けられることによって前記装置の内部に前記分配弁が保持されるまで、前記分配管（８）の内側を摺動させることによって前記分配弁（５）を移動させるステップを備えたことを特徴とする流体分配装置の製造方法。
【請求項１４】
前記挿入ステップは、前記開口（Ｄ）を介して前記分配管（８）から前記供給管（６）に前記供給弁（４）を挿入することを含むことを特徴とする請求項３又は請求項１１に従属する請求項１３の流体分配装置の製造方法。
【請求項１５】
前記挿入ステップは、前記ガイド手段（Ｆ）によって、前記分配管（８）の前記開口（Ｄ）を通って前記供給膜（７）の前記自由端を前記ポーチ（２）の内部にガイドすることを含むことを特徴とする請求項１１に従属する請求項１３又は請求項１４に記載の流体分配装置の製造方法。